(57)【要約】【課題】  釣り用の止め具付きクッションゴムで、組み付け易く、更に、止め具一つを使って、太さ違いの強弱のクッション体を数種類組み合わせが出来て、結束部が強靭で、強固にしトラブルの無い構成にすること。【解決の手段】  釣り用クッションゴムで、クッション体１とサルカン２の接続を、止め具３を介して接続してなる、止め具付きクッションゴムＡにおいて、これらの止め具３の片方の端子部ａに開口するサルカン係止孔４が、他方の端子部ｂで、外周から切り込んだ入り口溝５が、その端子部ｂの側面ｂｂに開口する溝Ｃを持つ通し孔６に交差しての長手方向に伸びて開口するスリット状７の切り込みを介し、サルカン係止孔４に連なることで、サルカン２のリング体２ａが入れ口から差し込まれて、サルカン係止孔４係合し、且つ止め具３の外周に巻き付けられたクッション体１と結束端末１ａが、溝Ｃを介して通し孔６に挿入差し込み可能な構成にする。【選択図】図１
0003137557.tif 000002
【実用新案登録請求の範囲】
【請求項１】
釣り用クッションゴムで、クッション体１とサルカン２の接続を止め具３を、介して接続してなる、止め具付きクッションゴムＡにおいて、これらの止め具３の片方の端子部ａに開口するサルカン係止孔４が、他方の端子部ｂで外周から切り込んだ入れ口溝５が、その端子部ｂの側面ｂｂに開口する溝Ｃを持つ通し孔６に交差して、止め具３の長手方向に伸びて開口するスリット状７の切り込みが、サルカン係止孔４に連なる事で、個別でなるサルカン２のリング体２ａが、入れ口溝５から差し込まれて、サルカン係止孔４に係合し、且つ通し孔６から差し込まれて、止め具３外周に巻き付けたクッション体１の結束端末１ａが、溝Ｃを介して通し孔６に挿入を可能にした事を特徴とする止め具付きクッションゴム。
【考案の詳細な説明】
【技術分野】
【０００１】  この考案は、釣り用クッションゴムに関し、更に詳しくは道糸側とハリス側との間に接続でなる釣り竿の仕掛けで、魚が釣れた際の衝撃を緩和し、魚の口切れやハリス切れの防止に使われる釣り用クッションゴムの改良で、引っ張り極限荷重を釣り用クッションゴムに付加されて伸びきった時、最も切れ易いクッション体の端子とサルカン（撚り戻し具）との結合部を強靭にし、トラブルの無い構成にするものである。
【背景技術】
【０００２】  此の種の従来の技術として、例えば実用新案登録番号第３１３３５８４号で、名称「止め具付きクッションゴム」で開示され、図３と図４で述べる様に、細長棒状の止め具３０の外周に螺旋状のリード凹部３０１を設け、これらの片方の端子部ａにサルカン係止孔４０を開口し、他方の端子部ｂの側面ｂｂに通し孔３０３を開口し、これに交差して外周に向けて貫通する引き出し孔３０２が開口する構成で、これらの合成樹脂製での止め具３０に弾性線条体のクッション体１０とクリップ２０１付きのサルカン２０が接続されて、止め具付きクッションゴムＡＡが，釣り竿の仕掛けで利用される。【０００３】  そして、これらの止め具３０とクッション体１０の結束は、例えばクッション体１０の両端の端末が、夫々が止め具３０の通し孔３０３に差し込まれ、引き出し孔３０２からサルカン係止孔４０に通され、折り返しで再度引き出し孔３０２に差し込まれて、螺旋状のリード凹部３０１に弾発力を受け挟み込まれて巻き付けられ、結束端末１ａは巻き込んだサルカン孔４０に近接する隙間に挟み込まれ終結して、クッション体１０が止め具３０に結束される。更にサルカン係止孔４０には、サルカン２０に付いたクリップ２０１のスナップ２０１ａが着脱自在に接続されて、これらのサルカン２０は夫々道糸側とハリス側につながれ、止め具付きクッションゴムＡＡとして利用される。
【考案の開示】
【考案が解決しようとする課題】
【０００４】  しかしながら従来技術の止め具付きクッションゴムＡＡでは、伸縮性の良い弾性線条体でなるクッション体１０を合成樹脂製の止め具３０の長手方向外周に沿うって凹状に切り込まれた螺旋状のリード凹部３０１に挟み込んで巻き付けられるが、リード凹部３０１から外れてクッション体１０が巻き込まれるなどで、使用中にそのクッション体１０がリード凹部３０１にズレ落ちる等から巻き付けが緩み、結束端末１ａが外れ、止め具３０からクッション体１０が知らず知らずに分離するなどの課題が残る。【０００５】  そして又、止め具３０の端子部ｂの側面ｂｂに開口する通し穴３０３に差し込むクッション体１０の結束端末１ａの太さが通し孔３０３の孔径より僅かでも太いことで差し込み作業に難が有るなどで、双方の互換性がシビアに要求される等からして、一つの止め具３０を使って太さの違う数種類のクッション体１０をペアーで使えて、且つ簡単に双方の組み付け結束作業が出来そして又、使用中に知らず知らずに結束が緩む事の無い、止め具付きクッションゴムが強く望まれる由縁である。
【課題を解決するための手段】
【０００６】  この考案は、かかる上記する課題を解決するために、請求項１での考案は、釣り用クッションゴムで、クッション体１とサルカン２の接続を止め具３を介して接続してなる、止め具付きクッションゴムＡにおいて、これらの止め具３の片方の端子部ａに開口するサルカン係止孔４が、他方の端子部ｂで外周からきり込んだ入れ口溝５が、その端子部ｂの側面ｂｂに開口する溝Ｃを持つ通し孔６に公差して、止め具３の長手方向に伸びて開口するスリット状７の切り込みが、サルカン係止孔４に連なる事で、個別でなるサルカン２のリング体２ａが、入れ口溝５から差し込まれたまま、サルカン係止孔４に係合し、且つ通し孔６から差し込まれて、止め具３の外周に巻き付けられたクッション体１の結束端子１ａが、溝Ｃを介して通し孔６に挿入可能な構成にしている。
【考案の効果】
【０００７】  本考案は、上述の通り構成作用するので、次ぎの優れた効果を奏する。即ち、螺旋状の溝の無い止め具を使う事でクッション体の巻き込み緩みによる脱落が無く、又何種類かの太さ違いの強弱の違ったクッション体を一つの止め具に自在に巻き込みが出来、更に、止め具の通し孔へのクッション体の差し込みは、入れ口溝に挟み込んだまま通し孔に差し込めるので、通し孔より太いクッションゴムでも、引っ張りながら太さを細めて、通し孔に差し込み、弾発力で固めに接続の出来る、止め具付きクッションゴムを提供出来る。【０００８】  また止め具とサルカンの接続は、クリップ付きサルカンを使わず、サルカンのリング体を止め具に設けたスリット状に通したまま、サルカン係止孔に接続ので出来る、止め具付きクッションゴムを提供出来る。
【考案を実施するための最良の形態】
【０００９】  以下に図示の実施例に基づいて本考案を更に詳細に説明する。即ち図１（ａ），（ｂ）は本考案による請求項１での実施例に基づく要部を示す斜視図で、図２は一部断面での分解斜視図で、所定の長さと太さでの熱可塑性ポリウレタンエラストマーからなるクッション体１を、止め具３であるジュラコン合成樹脂製での細長い棒状に巻き込み結束し、そしてサルカン２は着脱自在に、止め具３に接続可能な構成からなる、三部品を使っての分解と組み付けを自在にした、止め具付きクッションゴムである。【００１０】  そして、本考案での止め具３は、片方の端子部ｂの側面ｂｂに開口する通し孔６は、サイドに溝Ｃの付いた鍵状の孔にする事で、通し孔６より太目のクッション体１でも、引っ張りながら細めて、比較的狭い溝Ｃにクッション体１を押し込みながら通し孔６に固めに弾発力を受け、固定の出来る構成としている。【００１１】  そしてまた、これらの止め具３の長手方向での他方の端子部ａにサルカン係止孔４を開口し、これらは通し孔６の溝Ｃに交差して切り込んだ入れ口溝５を起点にサルカン係止孔４に連なるスリット状７の切り込みが開口し、このスリット状７の溝巾はサルカン２のリング体２ａ線径の太さが楽に通る溝巾で良く、或いは図１（ｂ）で示す様にスリット状７のサルカン係止孔４に近接して、山状７ａでなるスリットにしての、巻き込んだクッション体１のスリット状７にずれ込むのを防止する為に設けても良いし、或いはこれらの形状の持つバネ性で、スリット状７の起点部のに近接してこれらの溝の片辺に半球状の突起を設け、それらが溝を開成と閉成とを可能にし、サルカン２のリング体２ａの起点部からの差し込みで、溝が開きリング体２ａの着脱を自在にし、且つクッション体１を止め具３の外周に巻き付け時の外周の傾斜曲がりを防止する等でも良く、スリット状７の溝巾を変える等で、機能を付加することはスリット状７の構成に属するもので溝に付いては特定するもので無い。【００１２】  次ぎに、これらの止め具３に、サルカン２とクッション体１を接続する実施例を図１で述べるに、先ず棒状の止め具３の片方の端子部ａに近接して開口するサルカン係止孔４にサルカン２の回転自在でなるリング体２ａをスリット状７の起点部から差し込み、サルカン係止孔４に接続し、其の後にクッション体１の結束端末１ａを止め具３の他方の端子部ｂの側面ｂｂに開口する溝Ｃ付きでの通し孔６にすこぶる緩く差しこみ、入れ口溝５から外周に引き出して巻き付け、サルカン係止孔４を貫通させ折り返し、入れ口溝５から結束端末１ａを引っ張り細めながら比較的狭く設定して、通し孔６のサイドに切り込んだ溝Ｃに無理嵌めし、通し孔６に固めに差し込む事で、止め具３を使ってサルカン２とクッション体１とを間接的に結束する事が容易に出来る構成である。【００１３】  そして、これらの接続結束はクッション体１の両サイドの端子に行う事で、片方のサルカン２を道糸側に接続し、他方のサルカン２はハリス側に接続する等で釣り竿の仕掛けに最適に使われる。
【図面の簡単な説明】
【００１４】
【図１】  図中（ａ）は本考案に係わる第一実施例で完成体での斜視図で、図中（ｂ）はスリット状に機能を付加しての他の例での部分斜視図である。
【図２】  本考案に係わる第一実施例で一部断面での分解斜視図である。
【図３】  従来技術での完成体を示しての斜視図である。
【図４】  従来技術での分解斜視図である。
【符合の説明】
【００１５】  Ａ、（ＡＡ）    止め具付きクッションゴム
ａ，（ｂ）      端子部
ｂｂ            側面
Ｃ              溝
１、（１０）    クッション体
１ａ            結束端末
２、（２０）    サルカン
２ａ            リング体
３、（３０）    止め具
４、（４０）    サルカン係止孔
５              入れ口溝
６、（３０３）  通し孔
７              スリット状
２０１          クリップ
２０１ａ        スナップ
２０２          引き出し孔
３０１          リード凹部
３０２          引き出し孔
【図１】
0003137557.tif 000003
【図２】
0003137557.tif 000004
【図３】
0003137557.tif 000005
【図４】
0003137557.tif 000006